(57)【要約】      （修正有）【課題】タンク内に収容された液体のサンプリング用ボルトおよびサンプリング方法。【解決手段】ボルトに同軸に設けられた貫通孔と、貫通孔の軸方向に前後して装填された円筒状部材を有し、前記ボルトのネジ部側で貫通孔に装填された円筒状部材が、異なる素材からなる円筒状部材を軸方向に２段に組合わせたもので、前記２段の円筒状部材のうち、ネジ部先端側となる円筒状部材は、サンプリングする液体に対し最も耐食性に優れる素材とする。上記液体サンプリング用ボルトをタンクの側壁に、外部から内部に向かって貫通して取り付け、前記液体サンプリング用ボルトの貫通孔に装填された、ボルト頭部側の円筒状部材を取り外した後、ネジ部側の貫通孔に装填された円筒状部材に注射器の注射針を貫入させ、タンク内の液体を採取した後、注射針を抜き去り、その後、一端取り外した前記ボルト頭部側の円筒状部材を前記貫通孔にねじ接合する。【選択図】図１
2008058122.tif 000002
【特許請求の範囲】
【請求項１】
タンク内に収容された液体のサンプリングを行う、液体サンプリング用ボルトであって、前記ボルトは同軸に設けられた貫通孔と、前記貫通孔の軸方向に前後して装填された円筒状部材を有し、前記円筒状部材のうち前記ボルトのネジ部側で貫通孔に装填されたものは注射器の注射針が抜き差し可能で、抜いた後、差し孔が自律修復し、且つサンプリングする液体に対して耐食性を有する素材からなり、前記ボルトのボルト頭部側で前記貫通孔に装填された円筒状部材は、前記ボルトと同じ材質からなり、これら円筒状部材は前記貫通孔にねじ接合されていることを特徴とする、タンク内に収容された液体の、液体サンプリング用ボルト。
【請求項２】
前記ボルトのネジ部側で貫通孔に装填された円筒状部材が、コルク、天然ゴム、ブチルゴム、ネオプレンゴム、ニトリルゴム、スチレンゴム、エチレンプロピレンゴム、ハイパロンゴム、ウレタンゴム、シリコンゴム、フッ素ゴムまたはアクリルゴムのいずれか一つからなることを特徴とする請求項１記載のタンク内に収容された液体の、液体サンプリング用ボルト。
【請求項３】
前記ボルトのネジ部側で貫通孔に装填された円筒状部材が、コルク、天然ゴム、ブチルゴム、ネオプレンゴム、ニトリルゴム、スチレンゴム、エチレンプロピレンゴム、ハイパロンゴム、ウレタンゴム、シリコンゴム、フッ素ゴムまたはアクリルゴムから選択される、異なる素材からなる円筒状部材を軸方向に２段に組合わせたもので、前記２段の円筒状部材のうち、ネジ部先端側となる円筒状部材は、前記素材のうち、サンプリングする液体に対し最も耐食性に優れる素材からなることを特徴とする請求項１記載のタンク内に収容された液体の、液体サンプリング用ボルト。
【請求項４】
前記２段の円筒状部材のうち、ネジ部先端側となる円筒状部材が、ネジ部先端側に貫通孔より大径の底面の円錐部を有する、略平ネジ形状とすることを特徴とする請求項３記載のタンク内に収容された液体の、液体サンプリング用ボルト。
【請求項５】
請求項１乃至４のいずれか一つに記載の液体サンプリング用ボルトをタンクの側壁に、外部から内部に向かって貫通して取り付け、前記液体サンプリング用ボルトの貫通孔に装填された、ボルト頭部側の円筒状部材を取り外した後、ネジ部側の貫通孔に装填された円筒状部材に注射器の注射針を貫入させ、タンク内の液体を採取した後、注射針を抜き去り、その後、一端取り外した前記ボルト頭部側の円筒状部材を前記貫通孔にねじ接合することを特徴とする、タンク内に収容された液体の、液体サンプリング方法。
【請求項６】
請求項１乃至４のいずれか一つに記載の液体サンプリング用ボルトがタンク側壁の高さ方向に少なくとも二つ取り付けられていることを特徴とする請求項５記載のタンク内に収容された液体の液体サンプリング方法。
【請求項７】
請求項１乃至４のいずれか一つに記載の液体サンプリング用ボルトがタンク側壁の高さ方向に少なくとも二つ取り付けられていることを特徴とするタンク。
【発明の詳細な説明】
【技術分野】
【０００１】
本発明は、タンク内の液体の採取をタンク外部より可能とする液体サンプリング用ネジおよびそれを用いた液体サンプリング方法に関する。
【背景技術】
【０００２】
ＪＩＳ  Ｋ  ２２５１「原油および石油製品試料採取方法」は液体貯蔵タンク内に収容されている液体サンプリングの基準となる方法を示すが、具体的な試料採取位置や採取方法は普遍的なものから、個々のタンクの形状や、内容物に適合して採取が容易な特有のものが提案されている。
【０００３】
特許文献１は、円筒型液体貯蔵タンク内の液体を採取する装置に関し、タンク内の液体の表面に浮遊させたフロートに一端を取り付けた棒状部材の他端を、タンクの底板近くのタンク側板に取り付け角度可変に取り付けて、当該棒状部材には、液位の上中下でサンプリングが可能なように当該位置で開口するタップ管を複数沿わせて、各タップ管から試料を採取する装置が記載されている。
【０００４】
特許文献２は、人や環境に危険な液体の採取を行う、サンプリング装置に関し、円筒の内部に液体サンプルを真空を利用して吸引する真空タンクを有し、その中心軸上には当該真空タンク内に一端が開口し、多端が分析などのために液体を保存する真空の容器またはポットに穿孔する針を備えた構造が記載されている。
【０００５】
特許文献３は、廃棄物処理プラントを対象とする液体サンプリング方法および装置に関し、タンク内の廃棄物について平均的な諸特性を得て、適切な処理が施せるように、タンクを複数とし、これらのタンク間を廃棄物を移送する途中でサンプリングをことが記載されている。
【０００６】
特許文献４は、反応釜で生成される液体およびスラリーのサンプリング装置およびサンプリング方法に関し、反応釜からタンクへ液体及びスラリーを導く主配管の上部からサンプリング用配管を分岐させサンプリングボックスの上部に連結させ、前記サンプリングボックスの底部と主配管の下部位置は回収配管で連結することが記載されている。
【０００７】
特許文献５は、液体サンプルの採取方法及び装置に関し、パイプラインにバイパスを分設して採取室を設け、被採取液体を隔離状態として、当該採取室に注射針を突き刺して、注射器内に抜き取ることが記載されている。
【特許文献１】特開平４−３２７４２号公報
【特許文献２】特許第３５８７９２７号公報
【特許文献３】特開２００１−２８１１１５号公報
【特許文献４】特開平７−２００１３号公報
【特許文献５】特開平１０−１５３５３１号公報
【発明の開示】
【発明が解決しようとする課題】
【０００８】
ところで、液体貯蔵タンクは、鋼製で屋外に設置されることが多く外部に取り付けられる付属装置は、保守点検が容易な単純な構造のものが望ましく、液体サンプリング装置においても、上述した特許文献1〜５に記載の複数の配管を必要とする構造の装置は好ましくない。
【０００９】
また、タンク底部に配管を取り付けてバルブ操作により内容物を採取する方法は、必要以上の物質を採取したり、バルブから漏れが生じ、操作員が危険を感じることもある。収容される液体も長期間保存されると変成してスラッジなどを生じ、流動性が低下することが多く、液体サンプリング装置用の細径の配管系では詰まりが生じることがあった。
【００１０】
そこで、本発明は、タンクに液体サンプル採取のための配管をせずに、タンク内に収容している液体のサンプリングが簡便且つ安全に可能な液体サンプリング用ネジおよび液体サンプリング方法を提供することを目的とする。
【課題を解決するための手段】
【００１１】
本発明の課題は以下の手段により達成可能である。
１．タンク内に収容された液体のサンプリングを行う、液体サンプリング用ボルトであって、前記ボルトは同軸に設けられた貫通孔と、前記貫通孔の軸方向に前後して装填された円筒状部材を有し、前記円筒状部材のうち前記ボルトのネジ部側で貫通孔に装填されたものは注射器の注射針が抜き差し可能で、抜いた後、差し孔が自律修復し、且つサンプリングする液体に対して耐食性を有する素材からなり、前記ボルトのボルト頭部側で前記貫通孔に装填された円筒状部材は、前記ボルトと同じ材質からなり、これら円筒状部材は前記貫通孔にねじ接合されていることを特徴とする、タンク内に収容された液体の、液体サンプリング用ボルト。
２．前記ボルトのネジ部側で貫通孔に装填された円筒状部材が、コルク、天然ゴム、ブチルゴム、ネオプレンゴム、ニトリルゴム、スチレンゴム、エチレンプロピレンゴム、ハイパロンゴム、ウレタンゴム、シリコンゴム、フッ素ゴムまたはアクリルゴムのいずれか一つからなることを特徴とする１記載のタンク内に収容された液体の、液体サンプリング用ボルト。
３．前記ボルトのネジ部側で貫通孔に装填された円筒状部材が、コルク、天然ゴム、ブチルゴム、ネオプレンゴム、ニトリルゴム、スチレンゴム、エチレンプロピレンゴム、ハイパロンゴム、ウレタンゴム、シリコンゴム、フッ素ゴムまたはアクリルゴムから選択される、異なる素材からなる円筒状部材を軸方向に２段に組合わせたもので、前記２段の円筒状部材のうち、ネジ部先端側となる円筒状部材は、前記素材のうち、サンプリングする液体に対し最も耐食性に優れる素材からなることを特徴とする１記載のタンク内に収容された液体の、液体サンプリング用ボルト。
４．前記２段の円筒状部材のうち、ネジ部先端側となる円筒状部材が、ネジ部先端側に貫通孔より大径の底面の円錐部を有する、略平ネジ形状とすることを特徴とする３記載のタンク内に収容された液体の、液体サンプリング用ボルト。
５．１乃至４のいずれか一つに記載の液体サンプリング用ボルトをタンクの側壁に、外部から内部に向かって貫通して取り付け、前記液体サンプリング用ボルトの貫通孔に装填された、ボルト頭部側の円筒状部材を取り外した後、ネジ部側の貫通孔に装填された円筒状部材に注射器の注射針を貫入させ、タンク内の液体を採取した後、注射針を抜き去り、その後、一端取り外した前記ボルト頭部側の円筒状部材を前記貫通孔にねじ接合することを特徴とする、タンク内に収容された液体の、液体サンプリング方法。
６．１乃至４のいずれか一つに記載の液体サンプリング用ボルトがタンク側壁の高さ方向に少なくとも二つ取り付けられていることを特徴とする５記載のタンク内に収容された液体の液体サンプリング方法。
７．１乃至４のいずれか一つに記載の液体サンプリング用ボルトがタンク側壁の高さ方向に少なくとも二つ取り付けられていることを特徴とするタンク。
【発明の効果】
【００１２】
本発明によれば以下の効果が得られる。
１．タンクに取り付けられたサンプリング用配管の開閉弁を操作する方法と比較すると、作業時間が非常に短時間である。
２．サンプリングする際、タンクに収容された液体の漏れが防止でき、安全性が向上する。
３．サンプリング量の微調整が可能で、必要量の採取が容易である。
４．単純な構造のため保守が容易でメインテナンス費用が低減され、製作も容易なため設備費も低減される。
【発明を実施するための最良の形態】
【００１３】
本発明は、タンクに収容された液体を注射器で吸引して採取できるように、ボルトの中心部を、注射針が貫入可能な部材で構成したことを特徴とする。以下、図面を用いて本発明を詳細に説明する。
【００１４】
図１は本発明の一実施例に係る、タンク内に収容された液体の、液体サンプリング用ボルトの構造を説明する図で、（ａ）はボルト本体部の構造を示す断面図、（ｂ）はタンクに取り付けた状態の断面図、（ｂ）はボルト頭部を示す正面図である。
【００１５】
これらの図において１は液体サンプリング用ボルト、２は頭部、３は円筒部材１、４は円筒部材２、４１は素材１からなる円筒部材２の構成部材、４２は素材２からなる円筒部材２の構成部材、５は液体サンプリング用ボルト１のネジ部、６はタンク側壁、６ａはタンク側壁６の外壁、６ｂは内壁、７はタンクに収容された液体、８はタンク外壁６の雌ネジ部、９はネジ部、１０は貫通孔ａの内壁に加工された雌ねじ部、１１は構成部材４１のおねじ部、１２は構成部材４２のおねじ部、１３は円筒部材１のおねじ部、ａは貫通孔、ｂは十文字ねじ孔を示す。
【００１６】
液体サンプリング用ボルト１（以下、ボルト１）はその中心部に、ボルト頭部２からネジ部５を貫通する貫通孔ａを有し、その内壁には雌ネジ部１０がネジ加工されている（図１（ａ））。
【００１７】
そして、貫通孔ａの内部には、その軸方向に前後して円筒状部材３、４が装填され、ボルト１のネジ部５側の円筒状部材４は、素材が異なる構成部材４１、４２で構成されている（図１（ｂ））。
【００１８】
構成部材４１、４２はいずれも注射器の注射針が抜き差し可能で、抜いた後、差し孔が自律修復する、液体７に対して耐食性に優れた素材からなる。構成部材４１は特に耐食性に優れる素材、構成部材４２は特に注射針の抜き差しによる損傷が少ない材料とすると好ましい。
【００１９】
ボルト１のボルト頭部２側の円筒状部材３は、円筒状部材４が損傷して液体７が漏出することを防止したり、サンプリングの際の脱着回数が多くなっても損傷しないように、液体７に対して耐食性を有する硬質な素材とし、ボルト１の本体と同じ材質とすることが好ましい。
【００２０】
円筒状部材３および円筒状部材４を構成する構成部材４１、４２は、ボルト本体と脱着可能なようにその外周部に、貫通孔ａの雌ねじ部１０と締結可能な雄ねじ部１１、１２、１３が加工され、貫通孔ａにねじ接合されている。
【００２１】
円筒状部材３の一端側は、ねじ接合の際、ボルト１の頭部２を上方から圧着するように貫通孔ａより大径とし、ねじ接合が容易となるように、ねじ孔ｂを設ける（図１（ｃ））。
【００２２】
ボルト１は上述した構造を有していれば良く、首下長さ（ねじ部５の長さ）、円筒状部材３、４の径や長さ等各部の寸法は特に規定しない。
【００２３】
但し、貫通孔ａの内部で、円筒状部材３、４間に空隙が生じると円筒状部材４に負荷される液体７の液圧が円筒状部材３に伝達されないので、両者が密着するように適宜寸法を規定することが好ましい。
【００２４】
本発明に係るボルト１は上述した構造を有しているので、タンクに取り付けた状態で、円筒状部材４のうち、主に注射針の抜き差しによる液モレ防止を目的とする構成部材４２を交換することが可能である。構成部材４１が、タンク内の液体の流出を防止する。
【００２５】
図２は本発明の他の実施例を示し、円筒部材４の構成部材４１を、ネジ部先端側が貫通孔ａより大径の底面の円錐部４１１で、構成部材４２側は構成部材４２と同径の円筒部４１２の組合わせとする略平ネジ形状とする。貫通孔ａにねじ接合するためのねじは円筒部４１２に設ける。貫通孔ａは構成部材４１に合わせた形状とする。
【００２６】
構成部材４１の円錐部４１１がタンクの液圧により貫通孔ａに押圧されるので、サンプリングの際の液漏れがより確実に防止される。
【００２７】
ボルト１を用いてタンクに収容されている液体７のサンプリングを行う場合は、液体７をタンクに収容する前にボルト１をタンクの側壁６の所望する位置に、その外面６ａから内面６ｂに向かって貫通して取り付けておく。ボルト１の周り止めのため、スプリングワッシャー、ネジ部からの液体７の漏出を防止するため、耐薬品性シールを使用することが好ましい。
【００２８】
通常、タンク内の液体７は、タンクの高さ方向に成分変化を生じることが多いので、ボルト１は高さ方向に少なくとも二つを取り付けることが望ましい。タンクが電気メッキ液循環タンクで、サンプリングする液体が、メッキ液の場合、円筒状部材４はコルク、天然ゴム、ブチルゴム、ネオプレンゴム、ニトリルゴム、スチレンゴム、エチレンプロピレンゴム、ハイパロンゴム、ウレタンゴム、シリコンゴム、フッ素ゴムまたはアクリルゴムのうち、構成部材４１としては耐酸性に優れる天然ゴム、ブチルゴムまたはネオプレンゴム、構成部材４２として修復性に優れるコルクを用いることが好ましい。ボルト１の本体及び円筒状部材３はＳＵＳ３１６を用いることが望ましい。
【００２９】
サンプリングは、ボルト頭部２側の円筒状部材３を取り外した後、ネジ部５側の円筒状部材４に注射器の注射針を貫入させ、タンク内の液体７を採取した後、注射針を抜き差って行う。サンプリング後、取り外した円筒状部材３を再度貫通孔ａにねじ接合する。
【図面の簡単な説明】
【００３０】
【図１】本発明の一実施例に係る液体サンプリング用ボルトの構造を示し、（ａ）はボルト本体の断面図、（ｂ）はボルトの軸方向断面図で、タンクに取り付けた状態を示す図、（ｃ）はボルト頭部の平面図。
【図２】本発明の他の実施例を示す図。
【符号の説明】
【００３１】
１    液体サンプリング用ボルト
２  頭部
３、４  円筒状部材
４１、４２  構成部材
４１１  円錐部
４１２  円筒部
５  ネジ部
６  タンク側壁
６ａ  外壁
６ｂ  内壁
７  液体
８、１０  雌ネジ部
９、１１、１２、１３  おねじ部
ａ  貫通孔
ｂ  十文字ねじ孔
【図１】
2008058122.tif 000003
【図２】
2008058122.tif 000004